Podtech/llm-jp-corpus-v4-ja_patent huggingface dataset:
(57)【要約】      （修正有）【課題】リスニングポジションを限定せず、立体的で実際の音に近づけたスピーカーシステムを提供する。【解決手段】スピーカーシステムは、前部左右スピーカー１．２と、左右スピーカー３，４と、筐体５と、を備え、筐体５の左右に左右スピーカー３，４を背面で向かい合わせて取り付け、筐体５の前部に前部左右スピーカー１．２をやや向かい合わせて取り付ける。左右スピーカー３，４を直線で結んだ線と前部左右スピーカー１，２の後方へ伸ばした直線が交わり、向かい合う角度がおおよそ９０度から１５０度で、前部左右スピーカー１，２の前方へ伸ばした直線が互いにリスナーの手前で交差するような形となるように配置する。【選択図】図２
2018182721.tif 000002
【特許請求の範囲】
【請求項１】
ダクトのついているもしくはついていない一つのスピーカー筐体５に、ステレオオーディオにおける左右チャンネルのスピーカー３，４を筐体左右にそれぞれ取り付け、かつ、筐体前部に左右チャンネル一対のスピーカー１，２を前面中心を挟んでやや向かい合わせ取り付けたスピーカーシステム。
【請求項２】
前記Ｉのスピーカーシステムの左右スピーカー３．４の背面からでる音が筐体５内で遮られず、もう一方のスピーカーに作用しダクト８から出ることにより、センター音を軽減し、逆相の音を出すスピーカーシステム。
【請求項３】
一つの筐体の左右にそれぞれ左右スピーカー３，４を背中合わせに取り付け、筐体内部は左右スピーカーの後方から出る逆相音でお互いが干渉しあうよう、筐体内でなるべく遮らないように、スピーカーの平面積より遮蔽率５０パーセント以下にし、筐体左右のダクト８により反対側の左右スピーカー後方より出る逆相音が出て、かつ、前部左右スピーカー１，２をやや向かい合わせ、左右スピーカーより前方で中心に近く、左右水平に筐体に取り付けたスピーカーシステム。
【請求項４】
前記請求項３の左右スピーカー３，４を直線で結んだ線と前部左右スピーカー１，２の後方へ伸ばした直線が交わり、向かい合う角度がおおよそ９０度から１５０度で、前部スピーカーの前方へ伸ばした直線がお互いリスナーの手前で交差するような形となるように配置するスピーカーシステム。
【発明の詳細な説明】
【技術分野】
【０００１】本発明は実際の楽器の音、または音場に近づけることを目的としたスピーカーシステムの発明に関するものである。
【背景技術】
【０００２】今までのスピーカーは楽器から出る音の一部を採取し、逆相の音を殺し、その音源を忠実に再現することにこだわってきた。しかし、楽器から出る音は、さまざまな方向へ音が出ていて、楽器や声などそれぞれ音の広がりは違っているので、採取した音を前面に再生するだけでは楽器の音に近づくことは出来ない。其の上、中心の音がはっきり聞こえるようリスニングポイントが必要であった。【０００３】より実際の音楽に近い再生方法が多く試みられ、その一つにスピーカーマトリクス方式による再生方法がある。それは配線を変え、立体的な音場の再現を試みたものである。しかし、配線を変えてしまったことにより、アンプに負担をかけ、最悪アンプを壊してしまうというデメリットがあった。【０００４】原音に近づけるため多方向へ音が出せるよう、多方向へスピーカーを付けたものがいくつも開発された。しかし多方向へスピーカーがついても、スピーカーから出る音は同一であるので、左右へ人の声なとが拡散してしまうなど実際の音響に及ばないものになっていた。【０００５】この点、音声信号をテジタル処理したサラウンドシステムを用い、実際の音響空間に近づけようとしたものがあった。しかし専用の機器が必要であり、音をＬ，Ｒ，センターに分離し、３６０度空間から音が聞こえるためのシステムであったため、楽器の生音に近づけるものではなかった。【０００６】スピーカーを向かい合わせ、音がはっきり聞こえるような試みもあったが、立体的な音や原音を目的とするものではなく、また左右の空間の広がりも得られないため、原音とはかけ離れたものであった。
【発明の概要】
【発明が解決しようとする課題】
【０００７】本発明が解決しようとする課題は、逆相の音もなるべく殺さず、様々な楽器や声などの音の波形に近づけ、実際のライブ会場で演奏している音の状况を再現することを目標とした。その結果、リスニングポイントを限定せずとも音楽を楽しむことができることを目指した。
【発明を解決するための手段】
【０００８】一つの筐体の左右にそれぞれ左右スピーカーを背中合わせに取り付ける。左右スピーカーの後方から出る逆相音でお互いが干渉しあうよう、筐体内を物体で遮らないように、スピーカーの平面積より遮蔽率を５０パーセント以下にする。そして筐体左右のダクトより、左右スピーカーの逆相音と逆相音によって軽減されたセンター音、と正相音が出る。
【００１０】左右前部スピーカーをやや向かい合わせ、左右スピーカーより前方で中心に近く、筐体に取り付ける。このとき左右スピーカーを直線で結んだ線と前部スピーカーの後方の直線が交わり、前部左右スピーカーの前方へ伸ばした直線がそれぞれリスナーの手前で交差するような形となるように配置する。
【００１１】前部スピーカーが向き合う角度は向き合いすぎると音がこもってしまい、声のようにならない。そのため、向き合う鋭角は９０度から１５０度程度である。
【発明の効果】
【００１２】実際の楽器からは広範囲に正相音、逆相の音が出ているが、左右スピーカー、前部スピーカーより出る正相音と、ダクトから出る左右スピーカーの逆相音により、実際の楽器に近づけた音を出すことが可能となる。
【００１３】センター音は前部スピーカーが向かい合い、前方の直線上で交差しているので、人の声に似た音がでる。その結果リスニングポイントを定めずとも、明確な音響が得られる。
【００１４】以上の効果により、左右スピーカー付近からは楽器の音が、センター付近からは人の声、吹奏楽器のような音が再現され、例えばバンド演奏のようなライブ空間と似た音響空間が再現される。
【図面の簡単な説明】
【００１５】
【図１】図１は本発明の前面図である。
【図２】図２は本発明を図１のＡ〜Ａ｀の断面図を上から見た図である。
【図３】図３は本発明を右側面から見た図である。
【発明を実施するための形態】
【００１６】通常のオーディオアンプと接続または無線機能を搭載して、室内もしくは屋外でもサウンドを視聴することができる。
【産業上の利用可能性】
【００１７】薄型テレビと組み合わせて設計し、テレビの音声をより臨場感のある音響に変え、テレビを楽しむことができる。【００１８】アミューズメント機器の音響装置と組み合わせることでより臨場感のあるアミューズメント機器を設計することが可能である。
【符号の説明】
【００１９】  １  前部左スピーカー
２  前部右スピーカー
３  左スピーカー
４  右スピーカー
５  筐体
６  筐体天井
７  筐体下部
８  ダクト
【図１】
2018182721.tif 000003
【図２】
2018182721.tif 000004
【図３】
2018182721.tif 000005
(57)【要約】【課題】  台座部分と接点層部分の接合を、冷間圧接やろう付け（溶接）による方法を用いることなく、従来のように接点開閉時の通電により接点が加熱にさらされても、台座部分と接点層部分の境界が溶融して接合強度が低下し、接点層が台座部分上面から剥離脱落するような心配もない構造簡単で製作の容易なリベット型電気複合接点を提案する。【解決手段】  下方が末広がりのテーパ形状に形成された接点層中央下部を台座部分の上部が周囲からくわえ込むように直接密着嵌合し、互いに離脱できないような機械的接合構造に構成されてなる。【選択図】  図１
2018206529.tif 000002
【特許請求の範囲】
【請求項１】
下方が末広がりのテーパ形状に形成された接点層中央下部を台座部分の上部が周囲からくわえ込むように直接密着嵌合し、互いに離脱できないように機械的接合構造となって構成されていることを特徴とするリベット型電気複合接点。
【発明の詳細な説明】
【技術分野】
【０００１】
本発明は、リベット型電気複合接点に関し、特に頭部の接点層下部が台座の上部に離脱不能に密着嵌合してなり、接点層と台座の機械的な接合強度や、通電による加熱によって接合強度が低下するようなこともない耐溶着性や耐摩耗性等に優れた電気複合接点に関するものである。
【背景技術】
【０００２】
一般に、リベット形状の電気複合接点は、銅又は銅合金等の脚付き台座部分の頭部に銀、銀合金又は銀・酸化錫系合金等の銀系合金の接点層部分が接合されて形成されている。
【０００３】
この台座部分と接点層部分との接合は、冷間圧接による方法や、ろう付け（溶接）による方法などがあるが、接点開閉時の通電により接点が加熱されると、冷間圧着による方法は両部分の接合強度が低下し、あるいはろう付け（溶接）による方法でも同様の現象で台座と接点層の境界が溶融し、やはり両部分の接合強度が低下して、最終的に接点層が台座部分上面から剥離脱落する可能性があり、重大な事故を招く恐れもあった。
【先行技術文献】
【特許文献】
【０００４】
【特許文献１】特開２０００−１７３３８５号公報
【発明の概要】
【発明が解決しようとする課題】
【０００５】
そこで、本発明は、銅又は銅合金等の脚付き台座部分とその頭部に接合される銀、銀合金又は銀・酸化錫系合金等の接点層部分とからなるリベット型の電気複合接点であって、従来のように接点開閉時の通電により接点が加熱にさらされても、台座部分と接点層部分の境界が溶融して境界の接合強度が低下し、最悪、接点層が台座部分上面から剥離脱落するような心配もない構造簡単で製作の容易な接合信頼性の高い電気複合接点を提案するものである。
【課題を解決するための手段】
【０００６】
そのため、本発明のリベット型電気複合接点では、銀又は銀合金等の接点層の下部が末広がりのテーパ形状に形成され、一方、銅又は銅合金の台座部分の上部が上記接点層下部を取り囲むように食い込んで密着嵌合して互いに離脱できないような構成としたものである。
【０００７】
このような接合構成とするためには、前記した冷間圧着やろう付け（溶接）によることなく、例えば銅又は銅合金の台座部分をプレス機を用いた機械的加工により行うことができる。
【発明の効果】
【０００８】
本発明のリベット型電気複合接点によれば、台座部分と接点層部分とを冷間圧接やろう付け（溶接）による方法を用いるものではなく、機械的加工を加えて、台座部分の上部は下方がテーパ形状に形成された接点層の下部を周囲からくわえ込むように直接密着嵌合させて、互いに離脱できないような機械的な接合構造となっているので、接点層と台座部分との接合強度が低下したり、接点開閉時の通電によって接点が加熱にさらされても、台座部分と接点層部分の境界が溶融して接合強度が低下して、最悪、接点層が台座部分から剥離脱落するような恐れもない。
【０００９】
しかも、上記の構造は、接点の内部構造に関わるものであり、外観上は従来のものと全く変わりがない。
【図面の簡単な説明】
【００１０】
【図１】本発明のリベット型電気複合接点全体の縦断説明図である。
【図２】本発明のリベット型電気複合接点全体の他の例の縦断説明図である。
【図３】図１〜２のリベット型電気複合接点の全体正面図である
【発明を実施するための形態】
【００１１】
図１は、本発明のリベット型電気複合接点の一例を示す断面説明図で、１は銅又は銅合金になる脚１ａ付き台座部分、２は台座部分１頭部に接合する銀又は銀合金、銀酸化錫系等の銀系合金になる接点層部分であり、該接点層部分２の中央下部２ａは末広がりのテーパ形状に形成され、その下面全体は下向き円弧形に形成されて、該中央下部２ａは全体が略「大福餅」のような形状をしている。
【００１２】
上記のような形状の接点層中央下部２ａは、台座部分１上部によって周囲からくわえ込むように直接密着嵌合させ、互いに離脱できないような構造となっている。
【００１３】
上記接点層部分２のテーパ形状の中央下部２ａ以外の下面２ｂは水平な平坦面に形成され、またこれと接する台座部分１の上面外周部１ｂも水平な平坦面に形成されていて、互いに同幅で密着可能となっている。
【００１４】
かかる台座部分１上部と接点層中央下部２ａとの接合構造は、成形加工性のある銅又は銅合金の台座部分１の上部を例えばプレス機等の機械的加工によって形成される。
【００１５】
図２は、接点層２のテーパ形状の中央下部２ａ以外の下面２ｂの形状に多少凹凸を加えた形状としたもので、これと接する台座部分１の外周部上面１ｂもこの形状に相応して形成され、互いに密着可能となっている。
【００１６】
本発明のリベット型電気複合接点は上記のように構成され、下方が末広がりのテーパ形状に形成された接点層下部を台座部分の上部が周囲からくわえ込むように直接密着嵌合し、互いに離脱できないような機械的接合構造となっているので、接点の開閉によって、台座部分と接点層との接合部分の接合強度が低下することはなく、該接合部分の境界が溶融して、接点層が台座部分から剥離脱落するような心配もない。
【００１７】
しかも、本発明のリベット型電気複合接点は、その接合の仕方の特徴が内部構造にあるから、外からは分からず、外観は従来のものと全く同様である。
【００１８】
また、接点層２に使用される材質は、電気接点に適応する全てに有効であり、内部酸化法、粉末冶金法、溶解法等のいずれのものであってもよい。
【符号の説明】
【００１９】
１−接点台座部分
２−接点層部分
【図１】
2018206529.tif 000003
【図２】
2018206529.tif 000004
【図３】
2018206529.tif 000005
(57)【要約】【課題】従来のオカリナは、複数個の指孔を手指で開閉する仕組みのため、初心者や手指の運動が不自由な人にとっては扱いにくかった。また、高音域演奏中に楽器をしっかりと保持するのが難しかった。【解決手段】本体１、本体２に、手のひらで開閉する開口部をあける。吹き口部分で連結し、本体１、本体２を二股に分かれた保持しやすい形状にする。【選択図】図１
2018120195.tif 000002
【特許請求の範囲】
【請求項１】
本体に手のひらで開閉する開口部を備えたことを特徴とするオカリナ。
【請求項２】
請求項１のオカリナ二本を吹き口部分のみ連結し、一体化したオカリナ。
【請求項３】
請求項１に記された開口部が、一つの細長い溝状、あるいは複数個の孔であることを特徴とするオカリナ。
【発明の詳細な説明】
【技術分野】
【０００１】  この発明は、オカリナの新しい演奏方法と、形状に関する。
【背景技術】
【０００２】  従来のオカリナは、複数個の指孔を手指で開閉して、音高を変化させるものである。
【発明の概要】
【発明が解決しようとする課題】
【０００３】  しかしながら、以上の技術によれば、運指の習得が必要なうえ、高音域の運指の際には誤って手をすべらせやすく、初心者や手指の運動が不自由な人にとっては、扱いが困難なものであった。
そこで、この発明は、持ちやすく、手指の複雑な運動を必要としないオカリナを提供することを課題とする。
【課題を解決するための手段】
【０００４】  以上の課題を解決するために、第一発明は、本体を両手で握るように持ち、左右の手のひらで開閉しやすい位置に、それぞれ一つないし複数の開口部をもつことを特徴とするオカリナである。この開口部を手のひらで適宜開閉することにより、音高を自在に変化させることができる。
また、第二発明は、基音が１オクターブや完全５度など、一定の音程差を持つ大小２本のオカリナの吹き口部分のみを並列に連結一体化し、演奏可能な音域をひろげるとともに、本体を二股に分けることによって、両手でしっかりと握れる持ちやすい形状を実現した。
【発明の効果】
【０００５】  第一発明、または第二発明によれば、演奏時に全音域にわたってしっかりと楽器を保持することができる。手のひらによって開口部を開閉することにより、自在に音高を変えられるため、初心者でも運指にとらわれずに演奏を楽しむことができる。
【図面の簡単な説明】
【０００６】
【図１】この発明の一実施形態を示す斜視図である。
【図２】従来技術を示す斜視図である。
【発明を実施するための形態】
【０００７】  この発明の一実施形態を、図１に示す。
オカリナの本体１（これを低音管と呼ぶ。）、および本体２（これを高音管と呼ぶ）は概ね陶製で、円筒状の空洞であり、それぞれの上部に吹き口、裏面に歌口を備えている。この本体１、および本体２の吹き口部分を並列にして一体化してある。本体１、本体２は二股に分かれて湾曲しており、それぞれの側面の手のひらで覆うことができる範囲に、音高を変えるための一つないし複数の開口部があけられている。開口部を全部塞いだ場合と、全開した場合の音程差は、開口部の面積を増減して、１オクターブに調律しておく。
【０００８】「実施形態の効果」
この実施形態によれば、開口部を手のひらで覆うように握り、開閉を加減することで、低音管、高音管それぞれに１オクターブの範囲内で運指にとらわれることなく自在に音高を変えることができる。低音管と高音管の基音の音程を１オクターブ差に調律してある場合は、合わせて２オクターブの音域を演奏することができる。低音管と高音管を同時に吹き鳴らすことにより、重音演奏も可能である。また、演奏中は全音域にわたって本体をしっかりと保持できる。
「他の実施形態」
図１の実施形態では、開口部は一つの細長い溝状であったが、他の実施形態では、数種類の直径の孔を、手のひらで覆うことができる範囲に複数個あけたものでも良い。指孔の場合と異なり、手指の幅より狭い間隔に、自由な配列で密集して孔をあけることも可能である。５個の孔をあけ、１オクターブを、ド  レ  ミ  ソ  ラ  ドの五音音階に調律するなど、さまざまな音列を実現できる。
【符号の説明】
【０００９】１  本体１（低音管）      ２  本体２（高音管）      ３  開口部（低音管）
４  開口部（高音管）      ５  吹き口（低音管）      ６  吹き口（高音管）
７  歌口（低音管）        ８  歌口（高音管）
【図１】
2018120195.tif 000003
【図２】
2018120195.tif 000004
(57)【要約】【課題】タイムマシーンを体験するためＶＲによるタイムマシーンを提供する【解決手段】ＶＲを各年代ごとにソフトをつくりタイムマシーンにすることを特徴とする【選択図】なし【特許請求の範囲】
【請求項１】
ＶＲによるタイムマシーン
【発明の詳細な説明】
【技術分野】
【０００１】この発明はＶＲによるタイムマシーンに関するものである
【背景技術】
【０００２】従来、ＶＲは仮想現実だけを映していた
【先行技術文献】
【０００３】
【特許文献１】
【非特許文献１】
【発明の概要】
【発明が解決しようとする課題】
【０００４】これは次のような欠点があった
（イ）タイムマシーンは実現できなかった．
本発明は、以上のような欠点をなくすためになされたものである
【課題を解決するための手段】
【０００５】ＶＲに各年代ごとにソフトをつくらなければならない
本発明は、以上の構成によりなるＶＲによるタイムマシーンである
【発明の効果】
【０００６】（イ）タイムマシーンを体験できる
【図面の簡単な説明】
【０００７】
【発明を実施するための形態】
【０００８】以下、本発明を実施するための最良の形態について説明する
ＶＲで各年代ごとにソフトをつくりタイムマシーンにする
本発明は、以上のような構造である
【符号の説明】
【０００９】
(57)【要約】【課題】襟留めと袖口が移動するマント型ベストの衣服と雨着を提供する。【解決手段】マントの襟留め部に上下移動する引き手２個有する尻合わせ型ファスナーを設け、マントの袖山部から肘丈部に上下移動する引き手２個有する顔合わせ型ファスナーを設け、マントに袖口と袖口蓋を設けたことを特徴とした衣服。【選択図】図１
2018003226.tif 000002
【特許請求の範囲】
【請求項１】
マントの襟留め部に襟留め位置と襟口幅を調整できる引き手２個を有する尻合わせ型ファスナーを設け、マント本体の左右側面部に袖口位置と袖口幅を調整できる引き手２個を有する顔合わせ型ファスナーを設け、襟留め位置の留め具を上下に移動して調整できるマントに上下に移動する袖口と袖口蓋を有したマントとショールとベストになる衣服と雨着の発明。
【発明の詳細な説明】
【技術分野】
【０００１】本発明は襟留めが移動するマントに移動する袖口と袖口蓋を設けたマント型ベストの衣服とその雨着に関するものである。
【背景技術】
【０００２】従来、前身ごろの開閉をして手作業をするマントや肩掛け型のショールがあった
また前身ごろが閉じて衣服側面より腕を出すポンチョがあった。
【発明の概要】
【発明が解決しようとする課題】
【０００３】  そのために次のような問題点があった。
（イ）マントの前身ごろを閉じての使用時、手作業をする度に前身ごろの開閉をしていた。
（ロ）マントに上下に移動する袖口と袖口蓋を有するベストタイプの製品は無かった。
（ハ）マントの襟留め部が固定されて使用法に限りが有った。
（ニ）ショールは防水性に劣りデザインが女性的である。
（ホ）ポンチョは腕部の可動と防水のために大きい生地が必要で収納に嵩張り、腕部から      吊り下がる生地が機能性を阻害しデザイン的にも問題があった。
本発明は、これらの問題点を解決するためになされたものである。
【課題を解決するための手段】
【０００４】マント本体の襟留め部に襟留め位置と襟口幅を調整できる引き手２個を有する尻合わせ型ファスナーを設け、マント本体の左右側面部に袖山から肘丈部まで袖口位置と袖口幅を調整できる引き手が２個を有する顔合わせ型のファスナーを設け、襟留め位置の留め具を上下に移動して調整できるマントに上下移動する袖口と袖口蓋を設ける。
以上を特徴とする衣服と雨着である。
【発明の効果】
【０００５】ファスナーの移動のみで天候と用途で使用法を選び、マントとショールの機能に袖口を有するベストの便利性を兼ね備え衣服であり、長袖部と頭部を省いた形状の撥水加工の雨着は折りたたみ収納が容易である。
【図面の簡単な説明】
【０００６】
【図１】本発明の正面図と背面図である。
【図２】本発明の別の留め具の襟留めと袖口留めの実施例である。
【発明を実施するための形態】
【０００７】以下、本発明の実施形態について説明する。
（イ）マント本体（１）の前身ごろ最上部に有する襟元部に襟留め最上部（３）設け、そ      こから前身ごろの真下の方へ約１３ｃｍから１５ｃｍ下げたみぞうち部近くに位置      する箇所に襟留め最下部（４）を設け、前記の（３）から（４）の間に上部と下部      の引き手２個を有する尻合わせ型ファスナーで襟留めファスナー（２）を設け、襟      留め最上部（３）に引き手の下部を設置するとファスナーが全開となり前身ごろの      着丈最下部から襟元までが開くマント仕様となり、前記の下部ファスナー引き手が      襟留め最下部（４）に向けて下すにつれてファスナーが閉まり肩掛け型のショール      仕様となり、一方の上部ファスナー引き手の上下移動により襟口幅の調整、下部フ      ァスナー引き手の位置調整で利用法をマントかショールか選ぶ。
（ロ）マント本体（１）左右対称の側面部で袖山に位置する袖口最上部（６）から肘丈部      に位置する袖口最下部（７）まで上部と下部の引き手２個を有する顔合わせ型ファ      スナーの袖口ファスナー（５）設け、マントの襟留め位置から前身ごろ着丈の最下      部までが開くマント開閉部（８）より両手を左右に交叉して右側の袖口ファスナー      （５）と左側の袖口ファスナー（５）各々の上部と下部のファスナー引き手を上下      に移動して袖口位置と袖口幅を調整し、雨天時には袖口ファスナー（５）を全閉に      してマントとショール仕様とする。
（ハ）頭部フード部（９）は襟羽に有するジャンパーホック（１０）で取り付け式として      未使用時はマント本体（１）の後ろ身ごろ中央にある内部ポケット（１１）に収納      する。
（ニ）前身ごろ左右に有する外部ポケット（１２）はベスト利用時に使用する。
（ホ）前身ごろに有する裾留めボタン（１３）はベストとして使用時にマントの前身ごろ      が開くのを防ぐ時に両手を左右の袖口ファスナー（５）より出してボタン止めする      。
（ヘ）他の実施例として図２はボタンやジャンパーホックボタンで襟留めと袖口留めとし      たもので図２（ａ）は襟留めをボタン仕様としたもの、図２（ｂ）は袖口留めをボ      タン仕様としたもの、図２（ｃ）は襟留めと袖口留めをボタン仕様としたものであ      る。
本発明は以上のような構成である。
本発明を使用する時は襟止留め最上部（３）から襟留め最下部（４）に有する尻合わせ型ファスナー（２）の上下に２個有るファスナー引き手の下部の方をマント仕様時は襟止め最上部（３）に上げて設置し、ショール仕様時は前記下部のファスナー引き手を襟止め最下部（４）に設置し、一方の上部ファスナー引き手を下げると襟口幅が開いて調整ができ、またベストとして使用時は袖口最上部（６）と袖口最下部（７）に有する顔合わせ型の袖口ファスナー（５）の上下に２個有るファスナー引き手を移動し、袖口幅と袖口位置を調整してマント開閉部（８）を裾留めボタン（１３）で閉じるとロングベスト仕様となり、マントとショールとベストと雨着に利用できる衣服である。
【符号の説明】
【０００８】  １マント本体
２襟留めファスナー
３襟留め最上部
４襟留め最下部
５袖口ファスナー
６袖口最上部
７袖口最下部
８マント開閉部
９頭部フード部
１０ジャンパーホックボタン
１１内部ポケット
１２外部ポケット
１３裾留めボタン
【図１】
2018003226.tif 000003
【図２】
2018003226.tif 000004
2018003226.tif 000005
(57)【要約】      （修正有）【課題】後期高齢者の筋肉衰弱を一瞬にして、活気的に収縮できるようにする、筋肉甦るシリコンゴムの補助胴巻きを提供する。【解決手段】胴巻き本体１の中心部に、胴巻き幅のポケット２を設けポケットに強烈エネルギーを含有したシリコンゴム４を入れ、エネルギーを外部に放散するように、形成した小穴出口３を設け、弱体化した筋肉全体に直接放散することを特徴とする筋肉甦るシリコンゴムの補助胴巻き。【選択図】図１
2018003225.tif 000002
【特許請求の範囲】
【請求項１】
胴巻き本体の中心に、胴巻き幅のポケットを設け、前記ポケットに強烈エネルギーを合有したシリコンゴムを入れ、エネルギーを外部に放散するように、形成した小穴出口を設け、弱体化した筋肉全体に直接、放散することを特徴とする筋肉甦るシリコンゴムの補助胴巻き。
【発明の詳細な説明】
【技術分野】
【０００１】  本発明は、後期高齢者の筋肉衰弱を一瞬にして、活気的に収縮できるようにすることを特徴とする筋肉甦るシリコンゴムの補助胴巻きに関するものである。
【背景技術】
【０００２】  従来、シリコンゴムを利用して、台所用品の便利な物が続々と発明され、全国から歓迎されているものである。
シリコンゴムは、人間に害のないのが成功されたものである。
【発明の概要】
【発明が解決しようとする課題】
【０００３】  シリコンゴムは、繊維の防水加工、台所用品、便利な小物の雑貨品の利用方法に限られていた。
本発明は以上の問題点を解決し、シリコンゴムの特性を生かし、前述以外にも幅広く利用しようとするものである。
【課題を解決するための手段】
【０００４】  胴巻き本体の中心部に、胴巻き幅の小穴のあるポケットを設ける。このポケットに強烈なエネルギーを含有した、シリコンゴムを入れると、前記小穴より、強烈エネルギーを外部に放散するように形成した出口を設け、筋肉に直接放散する。
以上を特徴とする筋肉甦るシリコンゴムの補助腹巻きである。
【発明の効果】
【０００５】  本発明は、実験の結果強烈なエネルギーを自然的に放散する、水晶から生じたシリコンゴムの胴巻きに、小穴の出口を設けた、ポケットに入れ、年々筋肉の衰弱して行く老体に、前記胴巻きを装着すると、一瞬にして老人特有の引きずり足が、上がり足早になり、視野の範囲が１８０度に快復するという、奇跡的な効果を発揮するものである。また、下から持ち上げる重力も半減される。
【図面の簡単な説明】
【０００６】
【図１】  本発明の斜視図
【図２】  本発明の使用状態を示す斜視図
【発明を実施するための最良の形態】
【０００７】  以下、本発明の形態を説明する。
（イ）普通胴巻きの二分の一からなる、幅狭い胴巻き本体（１）に、小穴の出口（３）        のある、胴巻き幅のポケット（２）を設ける。
（ロ）胴巻き本体（１）に設けた、ポケット（２）の中に、シリコンゴム（４）を入れ        る。
（ハ）シリコンゴム（４）を入れると同時にポケット（２）の入口（５）を縫い込む。
本発明は、以上の構成よりなっている。
本発明を使用するときは、ポケット（２）の出口（３）より強烈な目に見えない、エネルギーが直接筋肉に放散する。前記のように構成されているので、間接的にするとエネルギーを弱くするので使用不可とされている。身体に肌着を装着している上に胴巻き本体（１）を巻くと効果が無くなるので、直接肌に巻くことにより、筋肉全体に行き渡るのである。外部からのエネルギーを弱体化した筋肉に補助することにより、一瞬にして健康体になり効果を発揮するものである。また以上は、筋肉の治療ではなく、あくまでも、エネルギーの補助である。
【符号の説明】
【０００８】  １  胴巻き本体
２  ポケット
３  出口
４  シリコンゴム
５  シリコンゴム入口
６  背中
７  バンド
８  ズボン
【図１】
2018003225.tif 000003
【図２】
2018003225.tif 000004
(57)【要約】【課題】  耐洗濯性に優れた遮熱性布材の提供を目的とする。【解決手段】遮熱性を有する水性塗料に捺染剤を加え、布地に捺染したことを特徴とする。【選択図】  図１
2018003204.tif 000002
【特許請求の範囲】
【請求項１】
遮熱性を有する水性塗料に捺染剤を加え、布地に捺染したことを特徴とする遮熱性布材の製造方法。
【請求項２】
さらに、捺染用の助剤又は／及び増粘剤を加えたことを特徴とする請求項１記載の遮熱性布材の製造方法。
【請求項３】
前記水性塗料は、アクリルシリコン樹脂系の塗料であることを特徴とする請求項１又は２記載の遮熱性布材の製造方法。
【請求項４】
アクリルシリコン樹脂系の遮熱性水性塗料１００重量部に対して、１０〜３０重量部の捺染剤、１〜５重量部の捺染助剤及び０．５〜３重量部の増粘剤を加えた遮熱剤を用いて布地に捺染することを特徴とする遮熱性布材の製造方法。
【発明の詳細な説明】
【技術分野】
【０００１】
本発明は遮熱性を有する布材（布地）の製造方法に関し、これにより得られた布材は耐洗濯性に優れる。
【背景技術】
【０００２】
赤外線の吸収を抑えることで直射日光下で衣服内の温度上昇を抑えたり、消防士等が消火活動、救助活動の際に衣服内が高温になるのを抑えることが要求されている。
従来から屋根等に塗装し、遮熱効果を有する遮熱塗料は各種市販されている。
本発明者らが、これらの塗料を用いて布地に塗布及び乾燥させたところ、いわゆるぼろぼろ状態になり布地から剥がれ落ち、洗濯に耐えられるものではなかった。
【０００３】
特許文献１には、繊維布帛の片面に光輝性金属微粒子とセラミックス系白色顔料をバインダー樹脂にて固着した遮熱性布帛を開示する。
しかし、同公報によるバインダー樹脂による固着ではやはり耐洗濯性に劣るものである。
【先行技術文献】
【特許文献】
【０００４】
【特許文献１】特開２０１２−１２２１４５号公報
【発明の概要】
【発明が解決しようとする課題】
【０００５】
本発明は、耐洗濯性に優れた遮熱性布材の提供を目的とする。
【課題を解決するための手段】
【０００６】
本発明に係る遮熱性布材の製造方法は、遮熱性を有する水性塗料に捺染剤を加え、布地に捺染したことを特徴とする。
【０００７】
ここで遮熱性を有する水性塗料には、多くの場合に赤外線の吸収を抑える目的で二酸化チタン、酸化亜鉛等の白色顔料を分散させているものが多い。
本発明において、水性であれば市販されている各種遮熱性塗料を用いることができる。
【０００８】
本発明は、市販されている遮熱性の水性塗料に捺染剤を加えることで布地の繊維に馴染み、密着性が向上し、スクリーン捺染、ロール捺染等が可能になった点に特徴がある。
これらの水性塗料は粘度が低いものが多く、さらに、捺染用の助剤又は／及び増粘剤を加えるのが好ましい。
【０００９】
捺染剤は、繊維に密着性のある染料等を捺染糊に練り合せたものをいい、捺染糊としてはアルギン酸ソーダや各種化学糊が公知である。
捺染助剤は捺染堅牢度、密着性向上等を目的とした助剤をいう。
また、増粘剤は粘度向上を目的として添加するものであり、乳化タイプの増粘剤が公知である。
【００１０】
水性塗料の樹脂分としては、アクリル系樹脂、ウレタン系樹脂、シリコン系樹脂、フッ素樹脂等が市販されているが、布材としての耐候性、コストを考えると予めシロキサン結合を付加させたアクリルポリマーを分散させたアクリルシリコン樹脂が好ましい。
【００１１】
本発明に用いる布地としては、綿，麻等の天然繊維，レーヨン等の再生繊維，ポリエステル，ナイロン，アラミド等の合成繊維等，各種繊維を用いることができる。
好ましいものとしては、ポリエステルである。
【００１２】
本発明における遮熱性布材の製造例としては、アクリルシリコン樹脂系の遮熱性水性塗料１００重量部に対して、１０〜３０重量部の捺染剤、１〜５重量部の捺染助剤及び０．５〜３重量部の増粘剤を加えた遮熱剤を用いて布地に捺染する形態が例として挙げられる。
また、純度９０％以上になるように、粘土粒子等の夾雑物を除去した珪藻土の粉末を１〜５重量部加えてもよい。
この珪藻土は、密着性と遮熱性を向上させる。
【発明の効果】
【００１３】
本発明は、遮熱性を有する水性塗料に捺染剤を加えたことにより、スクリーン捺染やロール捺染にて遮熱性に優れるとともに洗濯ができる布材を安価に得ることができる。
【図面の簡単な説明】
【００１４】
【図１】遮熱性を比較評価した試験方法の説明図を示す。
【発明を実施するための形態】
【００１５】
本発明に係る製造方法で遮熱性布材を製造し、評価したので以下、説明する。
【００１６】
試験サンプルの作成について以下、説明する。
ポリエステルである東レ株式会社の商品「テトロン」（登録商標）を布地として用いた。
水性塗料として関西ペイント株式会社、商品名「アレスクール水性Ｓｉ」１００重量部に対して捺染剤として、大日精化工業株式会社の商品名「ＳＥＫＡＰＲＥＮＥ  ＶＤ−７１０」を２０重量部混合した。
また、捺染助剤としてタナカケミカル株式会社の商品名「フィキサーＭＲ」を、３重量部及び乳化増粘剤として大日精化工業株式会社の商品名「ダイモネックスＥＨ−７」を１重量部を混合撹拌した。
この混合遮熱塗料を前記布地にスクリーン印刷し、赤外線乾燥させた。
これを試験サンプルＮｏ．１とする。
試験サンプルＮｏ．１のサンプルにさらに重ね印刷し、１３０℃にてベーキングさせたものを試験サンプルＮｏ．２とする。
これらはいずれも洗濯を繰り返したが、何ら問題がなかった。
【００１７】
図１に評価に用いた試験器の構造例を示す。
１辺が約３０ｃｍの試験ボックス１の一面に開口部を設け、この部分を試験サンプルの布材（評価布材４）でふさいだ。
試験ボックス１の内側には銀紙を貼り、６０ｗの白熱電球２を点燈した。
同時に対照として混合遮熱塗料をスクリーン印刷しない布生地を評価布材として用いた。
これを対照布材と称する。
本発明に係る方法で作成した試験サンプルＮｏ．１，Ｎｏ．２と対照布材の中央部を赤外線温度計で温度上昇を測定した。
その結果、試験サンプルＮｏ．１は対照布材よりも最大で７℃温度が低く、試験サンプルＮｏ．２は最大で対照布材よりも１０℃以上、温度が低かった。
【符号の説明】
【００１８】
１    試験ボックス
２    白熱電球
３    赤外線温度計
４    評価布材
【図１】
2018003204.tif 000003
(57)【要約】      （修正有）【課題】鍵が開けられた、ドアが開けられた時点で、それがわかるようにしておく手段を提供する。【解決手段】ドアが開いた時点で泥棒の侵入がわかるものをセットする。付け外しができれば、泥棒も付け外しをするので、ドアが開いた時点で壊れるものをセットする。鍵は現在の技術では、通常のカギ、ディンプルキーもセキュリティー効果は大差がないというカギ会社のコメントより、ピッキング技術とのいわゆる「イタチごっこ」ではないピッキング防止を考えたときに、付け外しができなくてドアが開いた時点で壊れるものをセットする。壊した後、セットし直しができないように、紙またはそれに類似したものに、名前、印などを施す。直筆、自分でつくったインなどで特定化する。【選択図】図２
2018003571.tif 000002
【特許請求の範囲】
【請求項１】
セキュリティチェックシステムは、左右別々の壁面、たとえばドアと壁側の壁面より各々突き出したプレートを設置し、両プレートに渡してテープを設置したものであること。
【請求項２】
請求項１記載のセキュリティチェックシステムは、設置したら外れないものであり、外した場合は、外したことが明確に判断できること。たとえば、接着剤、もしくは作りつけ。
【請求項３】
請求項１又は２記載のセキュリティチェックシステムにセットしたテープは、外れない、そして、外した場合、外れた場合は、それが明確にわかること。
【請求項４】
請求項１〜３いすれか記載のセキュリティーチェックシステムのテープ部分は、紙またはそれに類似したものとし、直筆による氏名、自分で彫った印などを入れ、特定化する。
【請求項５】
請求項１〜４いずれか記載のセキュリティーチェックシステムのテープには、両端に突、すなわち凸を設けプレートには、突すなわち凸にあった径の穴を設けること。
【請求項６】
請求項１〜５記載のセキュリティチェックシステムのテープ部と、突すなわち凸部分は、一体化したものであること。
【請求項７】
請求項１〜６のセキュリティチェックシステムは、電気機器等は使用せず、故障はしないこと
【請求項８】
請求項１〜７記載のセキュリティチェックシステムは、夜等暗がりでも判別できるよう電気等があること。
【請求項９】
請求項１〜８記載のセキュリティチェックシステムは、雨等による破損のないこと。
【発明の詳細な説明】
【技術分野】
【０００１】
【背景技術】
【０００２】高度な機械技術、電子機器技術による鍵が開発されているにもかかわらず、盗難がなくならない。
ピッキング等による盗難、セキュリティーシステムによる警備会社の人員の限界。
【先行技術文献】
【特許文献】
【０００３】
【特許文献１】  特開平０８−０６０９１４号広報
【特許文献２】  特開２０１０−１２３０１３号広報
【発明の概要】
【発明が解決しようとする課題】
【０００４】  以前、自宅に泥棒が入った形跡があり、被害はなかったが、室内のものが動いている様子でした。鍵はかかっていました。その後、鍵は変えたのですが、帰ってきたときに、もし鉢合せをしたら怖い、泥棒が入って、盗みを働いた後、鍵を閉めて出られたら、盗まれたことが分からないと思い、鍵が開けられた、ドアが開けられた時点で、それがわかるようにしておく手段が必要と思われた。侵入に気づかれずに、多数回に渡っているかもしれない悪質な盗難を防止する必要がある。鍵会社（有名メーカー）に聞くと、鍵は、落とした時、置き忘れた時など、ナンバーを控えられたら合鍵を作られてしまいます。最近の先端技術に対するピッキング事故の発生も耐えません。
【課題を解決するための手段】
【０００５】  ドアが開いた時点で侵入がわかるもの。付け外しができれば、泥棒も付け外しをするので、ドアが開いた時点で外れたことが分かるもの、また、壊れるもの。鍵は現在の技術では、通常のカギ、ディンプルキーもセキュリティー効果は大差がないというカギ会社のコメントより、ピッキング技術とのいわゆる「イタチごっこ」ではないピッキング防止を考えたときに、付け外しができなくてドアが開いた時点で外れたことが分かるもの、または、壊れるものが最適であると判断した。外れた後、壊れた後、セットし直しができないように、紙またはそれに類似したものに、名前、印などを施す。
【発明の効果】
【０００６】盗難にあったのがすぐ分からなかったという状況の排除。中での鉢合わせの防止。セキュリティー会社と２重の防犯になる（機械の故障  事故の発生から現場までの警備員が着くまでのタイムラグ）。安価である。多くの方に安全な暮らしを提供できる
【図面の簡単な説明】
【０００７】
【図１】本発明のセキュリティチェックシステムを正面から見た図。
【図２】本発明のセキュリティチェックシステムを正面から見た斜視図である。
【図３】図２のセキュリティチェックシステムにボックスをつけ、雨等による破損を避けた図である。
【図４】セキュリティチェックシステムのテープ部の詳細図である。
【発明を実施するための形態】
【０００８】  左右別々の壁面、たとえばドアと壁側の（１）壁面から突き出したプレートＡ，Ｂを設置、（３）突すなわち凸を付けた（２）紙またはそれに類似したものでつくったテープをセットする。紙またはそれに類似したものでつくったテープはセットした後は、外れない。そして、外した場合、外れた場合は、それが明確にわかること。ドアを開ければ、外れる、もしくは壊れる。
【実施例】
【０００９】鍵を使う場所であれば、そのチェックシステムとして取り付けられる。左右、上下を連結するものとしても、使用できる。
【産業上の利用可能性】
【００１０】産業用ロボットのリミッター。
【図１】
2018003571.tif 000003
【図２】
2018003571.tif 000004
【図３】
2018003571.tif 000005
【図４】
2018003571.tif 000006
(57)【要約】      （修正有）【課題】地盤締固めに際し、振動・騒音が小さく、労働力・手間がかからない手段を提供する。【解決手段】バックホウに油圧転圧機を装着させる事で、バックホウ装着油圧転圧機で転圧作業が出来る事により、無振動、地盤締固め作業が可能になる。【選択図】図１
2018003572.tif 000002
【特許請求の範囲】
【請求項１】
油圧による地盤転圧装置
【請求項２】
油圧転圧装置のバックホウ装着式
【発明の詳細な説明】
【背景技術】  従来のタンパによる地盤転圧作業を、バックホウに装着した油圧転圧機で締め固めを行う。
【先行技術文献】
【特許文献】
【非特許文献】
【発明の概要】
【発明が解決しようとする課題】  従来のタンパ作業では、振動・騒音が大きく、また人力作業のため手間が掛かりすぎる。
【課題が解決するための手段】
転圧作業における振動・騒音を油圧起動によりなくし、バックホウに装着する事により機械作業が出来る。
【発明の効果】
振動・騒音が出ない事により、市街地での夜間工事が静かになる。また、バックホウに装着するので、敷均しと重複して、効率のより作業が出来る。
2018003572.tif 000003
【手続補正書】
【提出日】平成28年10月19日(2016.10.19)
【手続補正２】
【補正対象書類名】明細書
【補正対象項目名】全文
【補正方法】変更
【補正の内容】
【発明の詳細な説明】
【技術分野】
【０００１】  土木機械
【背景技術】
【０００２】  従来のタンパによる地盤締固め作業を、バックホウに装着した油圧転圧機で施工する。
【発明の概要】
【発明が解決しようとする課題】
【０００３】  人力によるタンパの地盤締固めは、振動・騒音が大きく、また人力作業のため労働力・手間がかかりすぎる。
【課題を解決するための手段】
【０００４】バックホウに油圧転圧機を装着させる事で、機械作業による無振動、地盤締固め作業が可能になる。
【発明の効果】
【０００５】  道路工事・上下水工事における人力タンパ作業が、バックホウ装着油圧転圧機で転圧作業が出来る事により、市街地における無振動・無騒音の地盤締固め施工が可能になる。大きな作業効率と共に、環境にやさしい工事が出来る様になる。また、危険な場所への人の転圧作業を回避させる事が出来る。
【図面の簡単な説明】
【０００６】
【図１】  側面図  バックホウ背面の油圧転圧機
【図２】  正面図  二台並列油圧転圧機
【手続補正３】
【補正対象書類名】図面
【補正対象項目名】全図
【補正方法】変更
【補正の内容】
【図１】
2018003572.tif 000004
【図２】
2018003572.tif 000005
(57)【要約】【課題】本発明は、流出抑制用の貯留槽および臨時に使用される空間構造体の強度的信頼性を向上させる技術の提案である。【解決手段】縁部に孔部が設けられた盤体と盤体に開口する脚部からなる単位部材と支持部材からなり、前記単位部材を盤体の表面を対向させた状態で接続したユニットを3次元的に配置した空間構造体において、最上部と最下位部の盤体接触部を挟むように前記支持体を平行に載置し、盤体に設けられた孔部を介し前記2本の支持体を紐で結束した空間構造体である。【選択図】図４
2018009348.tif 000002
【特許請求の範囲】
【請求項１】
縁部に孔部が設けられた盤体と盤体に開口する脚部からなる単位部材と支持部材からなり、前記単位部材を盤体の表面を対向させた状態で接続したユニットを3次元的に配置した空間構造体において、最上部と最下位部の盤体接触部を挟むように前記支持体を平行に載置し、盤体に設けられた孔部を介し前記2本の支持体を紐で結束した空間構造体。
【発明の詳細な説明】
【技術分野】
【０００１】
本発明は、単位部材を配置して得られる空間構造体の技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のための単位部材は上記目的のほか仮設の舞台、臨時広場などの築造に使用される。（特開2002-307899、特開2008-057203）
上記臨時空間構造体の強度の信頼性を強化する手段の提案である。
【０００３】
【特許文献１】特開2002-307899
【特許文献２】特開2008-057203
【発明の開示】
【発明が解決しようとする課題】
【０００４】
本発明は、流出抑制用の貯留槽および臨時に使用される空間構造体の強度的信頼性を向上させる技術の提案である。
【課題を解決するための手段】
【０００５】
本発明は、縁部に孔部が設けられた盤体と盤体に開口する脚部からなる単位部材と支持部材からなり、前記単位部材を盤体の表面を対向させた状態で接続したユニットを3次元的に配置した空間構造体において、最上部と最下位部の盤体接触部を挟むように前記支持体を平行に載置し、盤体に設けられた孔部を介し前記2本の支持体を紐で結束した空間構造体である。
【発明の効果】
【０００６】
本発明は、ユニットを3次元的に配置した空間構造体において、最上部と最下位部の盤体接触部を挟むように支持体を平行に載置し、盤体に設けられた孔部を介し前記2本の支持体を紐で結束した空間構造体であるため、ユニットを配置して得られる通常の空間構造体よりユニットが振動あるいは衝撃でばらばらになる可能性が極めて小さくなる。
【図面の簡単な説明】
【０００７】
【図１】単位部材を示す概念図である。
【図２】ユニットを示す概念図である。
【図３】結束前の空間構造体の概念図を示す。
【図４】支持体で結束する状態を示す概念図である。
【図５】空間構造体の概念図を示す。
【図６】空間構造体を舞台に使用する例を示す。
【図７】空間構造体を貯留槽に使用する例を示す。
【図８】単位部材の例を示す概念図である。
【発明を実施するための最良の形態】
【０００８】
以下、本発明を図によって、より詳細に説明する。
図１は、本発明の空間構造体を形成するための単位部材を示す。
図１ａは、平面図であり、図１ｂは、断面図である。
図に示すように、単位部材は、盤体と盤体に開口する4角い容器状の脚部からなる。盤体縁部には紐を通す孔部が設けられている。
鉛直強度を高めるため図に示すように容器状の脚部底部から立ち上がる筒部を設けることが好ましい。図示しないが、容器状の脚部底部には互いに接続可能なようにオスメスの継手である凸部と孔部が設けられている。また、盤体表面にも接続用のオスメス継手である凸部と孔部が紐を通す孔部と別に設けられている。
また脚部側面には適宜孔部が設けられている。
【０００９】
図2は上記単位部材をその盤体表面を対向させた状態で接続したユニットを示している。
図３はユニットを3次元的に接続した空間構造体を支持体で結束する前の状態を示している。
支持体は細長い平板あるいは角材からなる。ユニットの盤体同士が接触する部分に載置が可能な形状であればよい。
図4にその状態を示す。
【００１０】
図５は図3の状態の構造物を紐で支持板を介して結束状態を示している。紐はロープでも針金でもよい。結束が可能なものであればよい。
【００１１】
図６は本発明の空間構造体の表面に板を張り、臨時の舞台に使用する例を示す概念図である。従来通り、得られた空間構造体を地下に埋設し、シート類で覆い、ドロだめ枡、流入・流出管、オリフィス枡などの付帯設備を付し、雨水などの流出抑制用に使用する貯留・浸透槽として使用する例を図７に示す。
また図８に本発明に使用できる単位部材の例を示す。
【産業上の利用可能性】
【００１２】
従来通り、雨水などの流出抑制施設用の貯留槽、単位部材の脚部に砕石などを充填し水中に沈め漁礁にあるいは臨時に使用するイベント用の舞台などに使用できる。
【符号の説明】
【００１３】
１  単位部材
２  ユニット
３  支持体
４  紐
５  結束用孔部
【図１】
2018009348.tif 000003
【図２】
2018009348.tif 000004
【図３】
2018009348.tif 000005
【図４】
2018009348.tif 000006
【図５】
2018009348.tif 000007
【図６】
2018009348.tif 000008
【図７】
2018009348.tif 000009
【図８】
2018009348.tif 000010
(57)【要約】【課題】  フラワーアレンジを練習する場合、生花は高額になるので造花で練習するといいのだが、生花も造花も茎の長さは一度切ったら、短くすることはできても長くすることはできない。自由に長さを調節できないのが課題。【解決手段】  造花の茎（１）の一端をプラスチックの丸棒（２）にくくり付けて（２）のプラスチックの丸棒にスライドする（２）より太い（３）のプラスチックの円筒を設けたことで、造花の茎の長さを調節できる。その上、何度でも使えて経済的にフラワーアレンジの練習ができる。【選択図】図１
2018009271.tif 000002
【特許請求の範囲】
【請求項１】
造花の茎（１）を（２）の丸棒の一端に付け（２）にスライドする（３）のプラスチックの筒を設置したのを特徴とする。それによってスライドして長さを調節できる造花の茎。
【発明の詳細な説明】
【技術分野】
【０００１】この発明は、造花の茎をスライド式にして伸び縮みにしたものである。
【背景技術】
【０００２】従来、造花の茎は長さが一定であった。
【先行技術文献】
【特許文献】
【０００３】
【特許文献１】
【発明の概要】
【発明が解決しようとする課題】
【０００４】これは、次のような問題点があった。
必要な長さを一度はさみで切ったら、その長さは決まって、もっと長くしようとしても不可能だった。
本発明は、以上のような欠点をなくすためになされたものである。
【課題を解決するための手段】
【０００５】造花の茎（１）を丸棒（２）にくくり付けて、（２）の丸棒より太い（３）の筒が上下にスライドして移動できるようにする。以上の構成により茎がスライドして長さを調節できる造花である。
【発明の効果】
【０００６】造花の茎の長さを調整できるので、何度も長さを自由に変えられるので、生花を必要としなくとも練習できる。
【図面の簡単な説明】
【０００７】
【図１】  本発明の茎を短くした図である。
【図２】  本発明の茎を長くした図である。
【発明を実施するための形態】
【０００８】以下、本発明を実施するための形態について説明する。
造花の茎の軸（１）の一端に、プラスチックの丸棒（２）を設ける。（３）のプラスチックの円筒の中を（２）がスライドして好きな所で固定する。
本発明は、以上のような構造である。
本発明を使用するときは、造花のデザインが茎を切らずに、好きな長さに調節できる造花が作れる形態になっている。
【符号の説明】
【０００９】  １  造花の茎
２  プラスチックの丸棒
３  プラスチックの円筒
【図１】
2018009271.tif 000003
【図２】
2018009271.tif 000004
(57)【要約】【課題】ストラップを取り付けできる貼って剥がせる粘着シート付スマートフォン背面シートを提供する。従来は、スマートフォンにストラップを取り付けるためには、ストラップを取り付けるための部位（穴やスリット）のあるスマートフォン用ケースやスマートフォン用カバーを、スマートフォンにセットする必要があった。また、スマートフォン形状に合ったスマートフォン用ケースやスマートフォン用カバーが必要であった。【解決手段】本発明は、ストラップを取り付けるための部位（穴など）を有する貼って剥がせるスマートフォン背面シートである。その背面シートは、貼って剥がせる粘着シートでできていてスマートフォンの形状に関係無く、スマートフォン背面などに取り付けたり取り外すことができる。【選択図】図１
2018123290.tif 000002
【特許請求の範囲】
【請求項１】
本発明は、ストラップを取り付けできる部位（穴やスリット）有する貼って剥がせるスマートフォン背面シートである。その背面シートは、貼って剥がせる粘着シートでできていて、スマートフォンの形状に関係無く、スマートフォン背面に取り付けたり取り外すことができる。
【発明の詳細な説明】
【技術分野】
【０００１】本発明は、ストラップを取り付けできる貼つって剥がせるスマートフォン背面シートに関する。
【背景技術】
【０００２】従来、スマートフォンにストラップを取り付けるための部位（穴やスリット）を有するスマートフォン用ケースやスマートフォン用カバーがあった。
【発明の概要】
【発明が解決しようとする課題】
【０００３】本発明の課題は、ストラップを取り付けできる貼って剥がせる粘着シート付スマートフォン背面シートを提供することである。従来は、スマートフォンにストラップを取り付けるために、ストラップを取り付けるための部位（穴やスリット）のあるスマートフォン用ケースやスマートフォン用カバーが必要であり、それらケースやカバーをスマートフォンにセットする必要があった。また、スマートフォンの形状に合ったケースやカバーが必要であった。
【課題を解決するための手段】
【０００４】本発明は、ストラップを取り付けるための部位（穴やスリット）を有する貼って剥がせるスマートフォン背面シートである。その背面シートは、貼って剥がせる粘着シートでできていてスマートフォンの形状に関係無くスマートフォン背面に取り付けたり外したりできる。
【発明の効果】
【０００５】スマートフォンにストラップを取り付ける場合、ストラップを取り付けるための部位（穴やスリット）を有するスマートフォン用ケースやスマートフォン用カバーが必要であった。本発明は、スマートフォンの形状に関係無く、ストラップを取り付けできる貼って剥がせるスマートフォン背面シートを提供する。
【図面の簡単な説明】
【０００６】
【図１】請求項１記載の貼って剥がせるスマートフォン背面シート。
【発明を実施するための形態】
【０００７】本発明について図を用いて説明する。図１の１は、請求項１記載のストラップを取り付けるための部位（穴など）を有する、貼って剥がせるスマートフォン背面シートである。２は、ストラップを通す穴である。３は、スマートフォン裏面である。４は、ストラップである。１の裏面は粘着シートを施してあり剥離紙をはがして使用する。ストラップ４を２に固定する。固定したのちに、ストラップ４が固定した１をスマートフォン３に接着する。
【図１】
2018123290.tif 000003